(57)【要約】      （修正有）【課題】回動する機能以外に、左右に揺れる機能を備えるツイスター構造を提供する。【解決手段】ツイスター構造は、円盤１０、回転盤２０、底盤３０、内リング４０、外リング５０、ベース６０、モータ７０及びファンカバー８０を備える。円盤１０上には、複数の貫通孔１１，１２及びネジ孔１３，１４が設けられ、内縁及び外縁に延伸部１５，１６が下向きで環設されている。回転盤２０は、上面に複数のマッサージ用リブ２１及び足踏みパッド２２が設けられ、周縁に第１の位置規制部２３が設けられ、底面に複数のスライド溝が設けられている。底盤３０は、複数の球３２を配置する凹部３１が回転盤２０のスライド溝に対応するように上端に設けられ、複数の貫通孔３３を有し、周縁に第２の位置規制部３４が設けられ、底部に複数の連結溝３５が設けられている。内リング４０は、内側に固定溝４１が設けられている。【選択図】図１
0003157227.tif 000002
【実用新案登録請求の範囲】
【請求項１】
円盤、回転盤、底盤、内リング、外リング、ベース、モータ及びファンカバーを備えるツイスター構造であって、
前記円盤上には、複数の貫通孔及びネジ孔が設けられ、内縁及び外縁に延伸部が下向きで環設され、
前記回転盤は、上面に複数のマッサージ用リブ及び足踏みパッドが設けられ、周縁に第１の位置規制部が設けられ、底面に複数のスライド溝が設けられ、
前記底盤は、複数の球を配置する凹部が前記回転盤のスライド溝に対応するように上端に設けられ、複数の貫通孔を有し、周縁に第２の位置規制部が設けられ、底部に複数の連結溝が設けられ、
前記内リングは、内側に固定溝が設けられ、
前記外リングは、外側に固定溝が設けられ、
前記ベースは、上端に貫通孔が設けられ、位置決めリブを有し、
前記モータは、複数の貫通孔が設けられた固定片に配置され、バランスが不均一な羽根片が上端に設けられ、
前記ファンカバーには、複数の貫通孔及び通風孔が設けられ、
前記円盤の前記貫通孔の中に、前記回転盤のマッサージ用リブ及び足踏みパッドを対応するように嵌入して前記円盤と前記回転盤とを接続し、各前記ベースは、前記底盤の底部に設けられた各連結溝の中に上端を嵌入し、前記回転盤に接続した前記球を、前記回転盤の底部に設けた前記スライド溝の中に対応するように嵌入し、前記内リング及び前記外リングに、前記固定溝を用いて前記円盤の内縁及び外縁に設けられた前記延伸部と入れ子式でそれぞれ接続し、前記回転盤と前記底盤とを接続してから前記円盤に前記モータを螺着して前記ファンカバーを螺着し、
前記回転盤は、前記底盤との間に配置した前記球により前記底盤と接続され、前記回転盤に設けた前記スライド溝により前記底盤上で左右に回動し、前記回転盤及び前記底盤の位置規制部が互いに当接して回動範囲が制限され、前記モータにより前記羽根片が回転すると、前記羽根片のバランスが均一でないため、前記モータに振動が発生し、前記モータが前記円盤に固定されているため、前記回転盤及び前記底盤に振動が発生し、軟質材料からなる前記ベースにより、本体が地面に直接接触することを防ぐため、前記ベース上の前記円盤、前記回転盤及び前記底盤だけに振動が発生し、前記羽根片の回転により発生した気流が前記ファンカバーの前記通風孔を介して外部に排出され、回動する機能以外に、左右に揺れる機能を備え、前記気流によりユーザに風を送ることを特徴とするツイスター構造。
【考案の詳細な説明】
【技術分野】
【０００１】
本考案は、ツイスター構造に関するものであり、さらに詳しくは、回動機能以外に、左右揺動機能を備えたツイスター構造に関する。
【背景技術】
【０００２】
現代人の生活は非常に多忙であり、スポーツ、体操などの運動の時間が十分取れないため、運動不足になる傾向が強く、運動不足から身体の変調をきたすことが多い。
【０００３】
一般に運動は戸外で行うが、日常業務の激務のあとには疲労困憊して、再び外出して運動することが困難な場合が多く、また、雨天の場合、さらには夜間でもトレーニングができるように、屋内で使用する様々な運動器材が市販されており、ツイスターはそのうちの一つである。
【０００４】
一般にツイスターは、ユーザがその上に立って、自身で腰を左右に捻ることにより運動効果を得るものであるが、高い運動効果を得るには一定期間継続しなければならず、単純に腰を左右に捻るだけでは単調で面白みが無いため、忍耐強く続けることができないユーザが多い。
【０００５】
かかる事情から、従来のツイスターは、回動機能を有するが、必要とされる揺動機能を併有したものはなく、身体の全体的な疲労回復には十分なものではなかった。
【考案の開示】
【考案が解決しようとする課題】
【０００６】
従って、本考案の課題は、回動する機能以外に、左右に揺れる機能を備えたツイスター構造を提供することにある。
【課題を解決するための手段】
【０００７】
そこで、本考案者は、前記の問題点を解消し、本考案の課題を解決するため、鋭意検討を重ねたところ、後記するように回動機能の外に左右に揺れる揺動機能を加えることにより前記の課題を解決できることを見出し、本考案に想到した。
【０００８】
すなわち、前記課題を解決するために、本考案の第１の形態によれば、円盤、回転盤、底盤、内リング、外リング、ベース、モータ及びファンカバーを備えるツイスター構造であって、前記円盤上には、複数の貫通孔及びネジ孔が設けられ、内縁及び外縁に延伸部が下向きで環設され、前記回転盤は、上面に複数のマッサージ用リブ及び足踏みパッドが設けられ、周縁に第１の位置規制部が設けられ、底面に複数のスライド溝が設けられ、前記底盤は、複数の球を配置する凹部が前記回転盤のスライド溝に対応するように上端に設けられ、複数の貫通孔を有し、周縁に第２の位置規制部が設けられ、底部に複数の連結溝が設けられ、前記内リングは、内側に固定溝が設けられ、前記外リングは、外側に固定溝が設けられ、前記ベースは、上端に貫通孔が設けられ、位置決めリブを有し、前記モータは、複数の貫通孔が設けられた固定片に配置され、バランスが不均一な羽根片が上端に設けられ、前記ファンカバーには、複数の貫通孔及び通風孔が設けられ、前記円盤の前記貫通孔の中に、前記回転盤のマッサージ用リブ及び足踏みパッドを対応するように嵌入して前記円盤と前記回転盤とを接続し、各前記ベースは、前記底盤の底部に設けられた各連結溝の中に上端を嵌入し、前記回転盤に接続した前記球を、前記回転盤の底部に設けた前記スライド溝の中に対応するように嵌入し、前記内リング及び前記外リングに、前記固定溝を用いて前記円盤の内縁及び外縁に設けられた前記延伸部と入れ子式でそれぞれ接続し、前記回転盤と前記底盤とを接続してから前記円盤に前記モータを螺着して前記ファンカバーを螺着し、前記回転盤は、前記底盤との間に配置した前記球により前記底盤と接続され、前記回転盤に設けた前記スライド溝により前記底盤上で左右に回動し、前記回転盤及び前記底盤の位置規制部が互いに当接して回動範囲が制限され、前記モータにより前記羽根片が回転すると、前記羽根片のバランスが均一でないため、前記モータに振動が発生し、前記モータが前記円盤に固定されているため、前記回転盤及び前記底盤に振動が発生し、軟質材料からなる前記ベースにより、本体が地面に直接接触することを防ぐため、前記ベース上の前記円盤、前記回転盤及び前記底盤だけに振動が発生し、前記羽根片の回転により発生した気流が前記ファンカバーの前記通風孔を介して外部に排出され、回動する機能以外に、左右に揺れる機能を備え、発生した気流によりユーザに風を送ることを特徴とするツイスター構造が提供される。
【０００９】
かくして、本考案によれば、
請求項１において、
円盤、回転盤、底盤、内リング、外リング、ベース、モータ及びファンカバーを備えるツイスター構造であって、
前記円盤上には、複数の貫通孔及びネジ孔が設けられ、内縁及び外縁に延伸部が下向きで環設され、
前記回転盤は、上面に複数のマッサージ用リブ及び足踏みパッドが設けられ、周縁に第１の位置規制部が設けられ、底面に複数のスライド溝が設けられ、
前記底盤は、複数の球を配置する凹部が前記回転盤のスライド溝に対応するように上端に設けられ、複数の貫通孔を有し、周縁に第２の位置規制部が設けられ、底部に複数の連結溝が設けられ、
前記内リングは、内側に固定溝が設けられ、
前記外リングは、外側に固定溝が設けられ、
前記ベースは、上端に貫通孔が設けられ、位置決めリブを有し、
前記モータは、複数の貫通孔が設けられた固定片に配置され、バランスが不均一な羽根片が上端に設けられ、
前記ファンカバーには、複数の貫通孔及び通風孔が設けられ、
前記円盤の前記貫通孔の中に、前記回転盤のマッサージ用リブ及び足踏みパッドを対応するように嵌入して前記円盤と前記回転盤とを接続し、各前記ベースは、前記底盤の底部に設けられた各連結溝の中に上端を嵌入し、前記回転盤に接続した前記球を、前記回転盤の底部に設けた前記スライド溝の中に対応するように嵌入し、前記内リング及び前記外リングに、前記固定溝を用いて前記円盤の内縁及び外縁に設けられた前記延伸部と入れ子式でそれぞれ接続し、前記回転盤と前記底盤とを接続してから前記円盤に前記モータを螺着して前記ファンカバーを螺着し、
前記回転盤は、前記底盤との間に配置した前記球により前記底盤と接続され、前記回転盤に設けた前記スライド溝により前記底盤上で左右に回動し、前記回転盤及び前記底盤の位置規制部が互いに当接して回動範囲が制限され、前記モータにより前記羽根片が回転すると、前記羽根片のバランスが均一でないため、前記モータに振動が発生し、前記モータが前記円盤に固定されているため、前記回転盤及び前記底盤に振動が発生し、軟質材料からなる前記ベースにより、本体が地面に直接接触することを防ぐため、前記ベース上の前記円盤、前記回転盤及び前記底盤だけに振動が発生し、前記羽根片の回転により発生した気流が前記ファンカバーの前記通風孔を介して外部に排出され、回動する機能以外に、左右に揺れる機能を備え、前記気流によりユーザに風を送ることを特徴とするツイスター構造
が提供される。
【考案の効果】
【００１０】
本考案のツイスター構造は、回動する機能以外に、左右に揺れる機能を備えたものであり、構造上コンパクトにまとめてあるので、取扱いが容易である。
【図面の簡単な説明】
【００１１】
【図１】本考案の一実施形態によるツイスター構造を示す分解斜視図である。
【図２】本考案の一実施形態によるツイスター構造の回転盤を示す底面図である。
【図３】本考案の一実施形態によるツイスター構造の底盤を示す平面図である。
【図４】本考案の一実施形態によるツイスター構造を示す斜視図である。
【図５】本考案の一実施形態によるツイスター構造の底盤を使用するときの状態を示す平面図である。
【図６】本考案の一実施形態によるツイスター構造を示す断面図である。
【図７】本考案の一実施形態によるツイスター構造の使用状態を示す部分拡大図である。
【考案を実施するための形態】
【００１２】
以下、本考案の実施形態について図面に基づいて説明する。なお、これによって本考案が限定されるものではない。
【００１３】
図１を参照する。図１に示すように、本考案の一実施形態によるツイスター１００は、円盤１０、回転盤２０、底盤３０、内リング４０、外リング５０、ベース６０、モータ７０及びファンカバー８０を含む。
【００１４】
円盤１０には、複数の貫通孔１１，１２及びネジ孔１３，１４が設けられ、内縁及び外縁に延伸部１５，１６が下向きに環設されている。
【００１５】
回転盤２０は、上面に複数のマッサージ用リブ２１及び足踏みパッド２２が設けられ、周縁に第１の位置規制部２３が設けられ、底面に複数のスライド溝２４が設けられている（図２に示す）。
【００１６】
底盤３０は、複数の球３２を配置するために用いる凹部３１が上端に設けられ、各凹部３１は、回転盤２０のスライド溝２４に対応するように設けられ、複数の貫通孔３３を有し、周縁に第２の位置規制部３４が設けられ、底部に複数の連結溝３５が設けられている（図３に示す）。
【００１７】
内リング４０は、内側に固定溝４１が設けられている。
【００１８】
外リング５０は、外側に固定溝５１が設けられている。
【００１９】
ベース６０は、貫通孔６１が上端に設けられ、位置決めリブ６２を有する。
【００２０】
モータ７０は、複数の貫通孔７２を有する固定片７１に配置され、バランスが不均一な羽根片７３が上端に設けられている。
【００２１】
ファンカバー８０には、複数の貫通孔８１及び通風孔８２が設けられている。
【００２２】
さらに、回転盤２０は、円盤１０の貫通孔１１，１２の中に対応するようにマッサージ用リブ２１及び足踏みパッド２２を嵌入し、円盤１０と回転盤２０とを接続する。各ベース６０は、底盤３０の底部に設けた連結溝３５の中に上端を嵌入し、貫通孔３３，６１にボルト９０を螺入し、底盤３０とベース６０とを接続する。さらに、底盤３０の上端に回転盤２０を配置し、回転盤２０に接続した球３２を、回転盤２０の底部に設けられたスライド溝２４の中に対応するように嵌入し、内リング４０及び外リング５０に、固定溝４１，５１を用いて円盤１０の内縁及び外縁に設けられた延伸部１５，１６と入れ子式で接続して接着し、回転盤２０と底盤３０とを接続させる。さらに、ネジ９２をモータ７０の固定片７１に設けた貫通孔７２に通してから、円盤１０のネジ孔１３に螺入し、もう一つのネジ９１をファンカバー８０の貫通孔８１に通してから、円盤１０のネジ孔１４に螺入してツイスター１００の製作を完成させる。
【００２３】
さらに、円盤１０に回転盤２０が固定され、回転盤２０は、底盤３０との間に配置した球３２により底盤３０と接続されている。そのため、回転盤２０がスライド溝２４により底盤３０上で回動するため、ユーザは円盤１０の上に立って左右に腰を捻ることができる。回転盤２０は、底盤３０が移動しないように固定されているため、底盤３０の第２の位置規制部３４に第１の位置規制部２３が当接すると回転が止まり、これにより回動範囲が制限される（図５に示す）。さらに、モータ７０により羽根片７３を回転させると、羽根片７３のバランスが均一でないため、モータ７０が振動する。この振動の大きさは、モータ７０の回転速度に応じて異なり、モータ７０が円盤１０上に固定されているため、回転盤２０及び底盤３０にも振動を発生させるが、軟質材料からなるベース６０により本体が地面に直接接触されていないため、ベース６０上の円盤１０、回転盤２０及び底盤３０だけに振動が発生する（図６及び図７に示す）。羽根片７３の回転により発生する気流９３は、ファンカバー８０の通風孔８２を介して外部に排出される。上述した構成により、ツイスター１００は、左右に回動する従来の機能以外に、左右に揺れる機能を備える上、気流９３によりユーザに風を送ることもできる。
【００２４】
さらに、本考案の一実施形態によるツイスター構造は、モータ７０とファンカバー８０との間にマイナスイオン発生装置を設け、羽根片７３によりマイナスイオンを外部へ送出してもよい。
【００２５】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２６】
１０  円盤
１１  貫通孔
１２  貫通孔
１３  ネジ孔
１４  ネジ孔
１５  第１の延伸部
１６  第２の延伸部
２０  回転盤
２１  マッサージ用リブ
２２  足踏みパッド
２３  第１の位置規制部
２４  スライド溝
３０  底盤
３１  凹部
３２  球
３３  貫通孔
３４  第２の位置規制部
３５  連結溝
４０  内リング
４１  固定溝
５０  外リング
５１  固定溝
６０  ベース
６１  貫通孔
６２  位置決めリブ
７０  モータ
７１  固定片
７２  貫通孔
７３  羽根片
８０  ファンカバー
８１  貫通孔
８２  通風孔
９０  ボルト
９１  ネジ
９２  ネジ
９３  気流
１００  ツイスター
【図１】
0003157227.tif 000003
【図２】
0003157227.tif 000004
【図３】
0003157227.tif 000005
【図４】
0003157227.tif 000006
【図５】
0003157227.tif 000007
【図６】
0003157227.tif 000008
【図７】
0003157227.tif 000009